(57)【特許請求の範囲】
【請求項１】
開口部の施錠用ハンドル２０、２１が扉Ａの内外にあり、ハンドル支持ケース２９ａ、２９ｂにそれぞれ支持されて扉Ａに装備され、内外のハンドル軸２２、２３は、扉Ａの内側から解除操作されるクラッチ機構２４を介して連結されており、前記内側ハンドル軸２２には、半径方向に突出するロック棒２５が設けてあり、ロック棒２５の先端部がハンドル軸２２，２３の回転によって、固定枠Ｂ側に設けた受け座１の受け溝４に掛合するロックハンドル装置において、
内側ハンドル軸２２にクラッチ操作ロッド４３を嵌挿し、内側ハンドル２０のボス部２０ａから突出したクラッチ操作ロッド４３の外端にプッシュボタン４４を固着し、内側ハンドル軸２２の内端の円筒部４０内に突出したクラッチ操作ロッド４３の内端にロックカム４５を固定し、クラッチ操作ロッド４３をバネ４６によって外向き方向に付勢し、前記円筒部４０の内周面４１にＶ溝４２を軸方向に形成し、前記ロックカム４５の外周面に第２Ｖ溝５１を軸方向に形成し、ロックカム４５の根元寄りの部分を第２Ｖ溝５１の谷径に等しい細径部５２に形成し、外側ハンドル軸２３の内端に設けたスリーブ４８を、ロックカム４５の外周面と前記円筒部４０の内周面の間に配置し、該スリーブ４８に鋼球４９の支持孔５０を半径方向に設け、スリーブ４８の肉厚を鋼球４９の直径よりも薄く形成することによって、前記クラッチ機構２４が構成されており、通常時は鋼球４９が前記支持孔５０を通して前記Ｖ溝４２と第２Ｖ溝５１に部分的に掛合することによって、内側ハンドル軸２２と外側ハンドル軸２３が一体的に回転するように連結される一方、扉Ａの内側からプッシュボタン４４を押してロックカム４５を内方に押し込んだとき、鋼球４９が前記Ｖ溝４２と第２Ｖ溝５１から出て支持孔５０を通して前記細径部５２に入り込むことによって、内側ハンドル軸２２と外側ハンドル軸２３との前記連結が解除されるようにしたことを特徴とするロックハンドル装置。
【発明の詳細な説明】
【０００１】
【発明の属する技術分野】
本発明は、冷蔵・冷凍室、外気と気圧差のある気密室、寒冷地、その他各種シェルターなどの扉に取付けられるロックハンドルに関する。
【０００２】
【従来の技術】
この種の扉においては、扉と固定枠との間に気密を保持するためのパッキング材があったり、内外の気圧差により扉が密着していたり、或いは扉と固定枠とが氷結していたりして、ハンドルによるロック棒を固定枠側の受け溝から外しただけでは、扉が直ちに開けられないことがある。
【０００３】
この種の欠点を改善するために、扉の内面側に対応して固定枠の内面側に取付ける受け座に、扉面に対して傾斜した受け溝を設け、前記ロック棒と掛合するとき、ロック棒を受け溝に掛けるときも、外すときにも、前記受け溝の内面に強制的に接触する強制溝としたものが、先に本出願人によって開発され、既に特許第２８６９０５８号として知られ、扉の内側に対応する固定枠の室内側に受け座を取付ける型式のものにおいて、一応の成果を納めている。
【０００４】
しかしながら、前記の受け溝はロック棒挿入離反端が完全に開放されたフック形状の受け座としてあるため、外観の体裁が悪いし、通過する人が衣服の袖口や手荷物を引っ掛けるおそれがある。
【０００５】
【発明が解決しようとする課題】
したがって本発明の目的は前述のような先行技術の欠点を改善し、また、仮に室内に閉じ込められるような事があっても、扉の内側から押し込み操作される部材によって内外のハンドル軸の相互連結が解除され、内側ハンドル軸を回して自力で迅速に脱出することができるロックハンドル装置を提供することである。
【０００６】
【課題を解決するための手段】
本発明は、開口部の施錠用ハンドル２０、２１が扉Ａの内外にあり、ハンドル支持ケース２９ａ、２９ｂにそれぞれ支持されて扉Ａに装備され、内外のハンドル軸２２、２３は、扉Ａの内側から解除操作されるクラッチ機構２４を介して連結されており、前記内側ハンドル軸２２には、半径方向に突出するロック棒２５が設けてあり、ロック棒２５の先端部がハンドル軸２２，２３の回転によって、固定枠Ｂ側に設けた受け座１の受け溝４に掛合するロックハンドル装置において、
内側ハンドル軸２２にクラッチ操作ロッド４３を嵌挿し、内側ハンドル２０のボス部２０ａから突出したクラッチ操作ロッド４３の外端にプッシュボタン４４を固着し、内側ハンドル軸２２の内端の円筒部４０内に突出したクラッチ操作ロッド４３の内端にロックカム４５を固定し、クラッチ操作ロッド４３をバネ４６によって外向き方向に付勢し、前記円筒部４０の内周面４１にＶ溝４２を軸方向に形成し、前記ロックカム４５の外周面に第２Ｖ溝５１を軸方向に形成し、ロックカム４５の根元寄りの部分を第２Ｖ溝５１の谷径に等しい細径部５２に形成し、外側ハンドル軸２３の内端に設けたスリーブ４８を、ロックカム４５の外周面と前記円筒部４０の内周面の間に配置し、該スリーブ４８に鋼球４９の支持孔５０を半径方向に設け、スリーブ４８の肉厚を鋼球４９の直径よりも薄く形成することによって、前記クラッチ機構２４を構成し、
通常時は鋼球４９が前記支持孔５０を通して前記Ｖ溝４２と第２Ｖ溝５１に部分的に掛合することによって、内側ハンドル軸２２と外側ハンドル軸２３が一体的に回転するように連結される一方、扉Ａの内側からプッシュボタン４４を押してロックカム４５を内方に押し込んだとき、鋼球４９が前記Ｖ溝４２と第２Ｖ溝５１から出て支持孔５０を通して前記細径部５２に入り込むことによって、内側ハンドル軸２２と外側ハンドル軸２３との前記連結が解除されるようにしたものである。
【０００７】
【発明の実施の形態】
図示の実施例では、前記受け座１は本体２と正面三角形状のスペーサ３とよりなり、本体２の受け溝４はロック棒２５のロック端５寄りが狭く、内壁面７が平行で、扉Ａ面と平行な平行溝部８としてあり、受け溝４の中間から挿入離反端６に至り、テーパー状に両側にそれぞれ対称的に傾斜して広くした傾斜壁部９ａ、９ｂとしてあり、この広がった部分の受け溝４内には、前記三角形状の前記スペーサ３が相対する一対の傾斜壁面９ａ、９ｂの一つに択一的に添って着脱可能としてあり、前記三角形状の前記スペーサ３の頂角αは、前記受け溝壁４の傾斜溝壁９ａ、９ｂの傾斜角の２倍として、残りの傾斜壁面９ａ、９ｂと、スペーサ３間に前記傾斜受け溝４ａが形成可能としてある。
【０００８】
このようにスペーサ３を傾斜壁部９ａ、９ｂの何れかに択一的に取付けることによって、左勝手の扉Ａでも右勝手の扉Ａでも単一の受け座１が利用でき、部品管理が容易であって、取付工事をする場合も受け座１として単一種のものを持参すればよい。
また、受け溝４はスペーサ３を取付けることによって傾斜溝部４ａとなり、扉Ａを完全に固定枠Ｂに密着することができ、また開けるときは傾斜溝部４ａによって、扉Ａを強制的に固定枠から離反させることができるから、扉Ａが錆びていたり、パッキン材の粘着力、寒冷地や氷室などでの氷結によって拘束力が作用していても、扉Ａを固定枠Ｂから確実に離反させることができる。また、外面に突出したフック形状のものはないので、衣服を引掛けることがなくて安全である。
【０００９】
本実施例では、前記ハンドル２０の上下の少なくとも一方より離れた位置に副ロック装置３０が設けてあり、この副ロツク装置３０のケース３１は扉Ａの内面に固定されるものであり、このケース３１には、前記ハンドル軸２２と平行な軸３２が支承され、この軸３２より半径方向に突出する副ロック棒３３はロック棒２５と同大としてあり、前記ロック棒２５及び副ロック棒３３の各根元部には、半径方向に張り出した連結腕２８、３４が設けてあり、これら連結腕２８と３４は、連結棒３６で連結可能としてあり、前記副ロック装置３０と対応する固定枠Ｂに取付けるべき前記受け座１と全く同一溝形状の受け溝４を備えた副受け座１ａを備えている。
単一のハンドルを操作することによってすべてのロック棒、副ロック棒の操作ができるし、扉Ａは多数の部分で締め付けられるので、気密性を必要とする氷室の扉や内外室の圧力差のある部分の扉、船舶のハッチに設置するのに適する。
【００１０】
内側ハンドル軸２２は中空軸となっており、その内端部は径の大きな円筒部４０としてあり、その内周面４１は全長等径としてあり、軸方向にＶ溝４２が１８０度位相を異にして２条設けてある。
【００１１】
また、内側ハンドル軸２２の中空内には、クラッチ操作ロッド４３が嵌挿してあり、この外端は内側ハンドル２０のボス部２０ａを貫通して内側ハンドル２０のボス部から突出し、その外端にプッシュボタン４４が固着してある。クラッチ操作ロッド４３の内端には、小径のロックカム４５が螺合して固定してある。
前記クラッチ操作ロッド４３はプッシュボタン４４と内側ハンドル２０との間に介在させたバネ４６によって、外向き方向に付勢させてあり、前記ロックカム４５の鍔４７が中空の内側ハンドル軸２２の内端面に圧接した状態となっている。
ロックカム４５の外周面と、前記円筒部４０の内周面４１との間に外側ハンドル軸２３に対して直接ないし間接的に固定されている鋼球を支持するスリーブ４８が設けてあり、このスリーブ１８には前記Ｖ溝４２に嵌合している鋼球４９を支持する支持孔５０が半径方向に設けてある。
【００１２】
スリーブ４８の肉厚は前記鋼球４９の径よりも薄く、鋼球４９はスリーブ４８の内外に概ね同一寸法突出し、内側に突出している鋼球４９の一部は、前記ロックカムの外周部に設けた軸方向の第２Ｖ溝５１に通常は掛合している。
前記ロックカム４５の根元寄りには、前記第２Ｖ溝５１の谷径に等しい細径部５２としてあり、プッシュボタン４４をバネ４６に抗して押し込むと、ロックカム４５は内方に押し込まれて、第２Ｖ溝５１は鋼球４９との掛合が外れ、ロックカム４５の細径部５２が鋼球４９の位置となり、内外ハンドル軸２２、２３の結合は解除される。
【００１３】
前記プッシュボタン４４から手を離し、内側ハンドル２０の位相を外側ハンドル２１の位相に合わせれば、バネ４６の復元力により、ロックカム４５の第２Ｖ溝５１は再び鋼球４９と掛合し、内外ハンドル軸２２、２３は結合される。
【００１４】
内側ハンドル２２に連結される前記スリーブ４８と外側ハンドル軸２３との間には、図示の実施の形態１においては、エンジニアリングプラスチック、例えばポリアセタール（ＰＯＭ）よりなるジョイントブロック６０が介在させてあり、内外ハンドル軸２２、２３を電気的に絶縁し、電磁波の侵入、漏洩や極部電流現象を阻止している。ジョイントブロック６０の内端中心部には前記スリーブ４８が差し込まれ、横断ピン６２によってスリーブ４８がジョイントブロック６０に固定されている。ジョイントブロック６０の外端中心部には外側ハンドル２３が差し込まれ、横断ピン６１によってジョイントブロック６０に固定されている。
内側ハンドル軸２２とロック棒２５の結合は、ロック棒２５のボス部がハンドル軸２２に対して相対回転しないように角軸と角孔の嵌め合いによって行われている。ロック棒２５は内側ハンドル軸２２に対して、右勝手、左勝手に対応できるように１８０度位相を変更して固定できるようにしてある。
また、ロック棒２５がハンドル支持ケース２９ａの側方に突出できるように、ハンドル支持ケース２９ａは中空としてあって、その両側には窓２９ｃが設けてある。
【００１５】
受け座１の本体２は通常は鉄、真鍮など鋳物製であり、正面より見て中央に前記ロック棒２５が挿入される受け溝４が設けてあり、この受け溝４の上部のロック端５近傍においては両内壁面７が相互に平行な平行溝部８となっており、この幅はロック棒２５の先端部２６が挿入でき、この太さよりも２乃至５％程度広くしてある。この平行溝部８の内壁面７には前記先端部２６の側面が僅かに掛合する浅い窪み７ａ、７ｂが設けてある。
【００１６】
また、受け溝４の下方は、それぞれ内壁面７が外方に末広型に広がった傾斜壁部９ａ、９ｂとしてあり、前記のこの傾斜角は前記平行溝部８の内壁面７を基準として、７度ないし１０度としてある。
【００１７】
前記スペーサ３は頂角が傾斜壁部９の傾斜角に対応してその２倍の１４度ないし２０度になっている、正面に見て２等辺三角形の形状であり、前記左右何れかの傾斜壁部９ａまたは９ｂに添って択一的にスペーサ固定ネジ１０によって受け溝４の底１１に正面から固定できるようにしてある。スペーサ３は前記底１１の外面側から固定ネジ１０で固定してもよい。
【００１８】
このようにスペース３を受け溝４内に固定すると、このスペース３と、これと相対峙する傾斜壁部９ａ又は９ｂとの間に傾斜受け溝４ａが形成される。スペーサ３を取付ける左右の位置は、扉Ａが左勝手か右勝手によって選択して固定する。
前記ロック棒２５の先端部２６には、前記受け溝４との接触摩擦が軽減するようにコロ２７が取付けてある。
【００１９】
扉Ａを内側から見て右側に扉Ａを回転支持する蝶番軸がある場合、前記受け座１に先ず、前記スペーサ３を固定するときには、図５に示すように正面から見て左側の傾斜壁部９ａに添ってスペーサ３を受け溝４内に入れ、スペーサ固定ネジ１０で固定する。
次に内側ハンドル２０が真下を向き、ロック棒２５が水平になる位置において、受け溝４のロック端５に掛合するよう、受け座１を受け座固定ネジ１２によって、固定枠Ｂに固定する。
【００２０】
このようにして内側のハンドル軸２２を図１において、反時計方向に回動させると、ロック棒２５は平行溝部８から傾斜溝部４ａに入り、扉Ａを僅かに固定枠Ｂから強制的に離反させる。
従って、扉Ａが固定枠Ｂに錆付きやパッキン材の粘着力、あるいは氷結などによって拘束されていたとしても、確実にこれを離反させることができ、ロック棒２５が挿入離反端６から完全に外れれば、扉Ａは手で開けられる状態となる。
【００２１】
扉Ａを閉じるときは扉を閉じた後、内又は外のハンドル２０、２１によって、ハンドル軸２２を前とは逆方向に回動させる。これによってロック棒２５の先端部２６は受け座１の挿入離反端６から受け溝４に挿入され、傾斜溝部４ａに案内されて扉Ａを固定枠Ｂに圧接させ、次には平行溝部８のロック端５に達し、扉Ａは密閉状態にロックされる。
万一、扉Ａの内部に人が閉じ込められたとしても、プッシュボタン４４を押せば、クラッチ操作ロッド４３によってクラッチ機構２４は外れ、内側ハンドル２０を回動すれば、ロック棒２５も前記と同様に回動し、扉Ａを内部から開いて脱出することができる。
ロック棒２５の先端部２６にはコロ２７が設けてあるから、受け溝４の傾斜溝部４ａの内壁面とは転がり接触となり操作は軽快となる。
またロック棒２５は平行溝部８に設けた窪み７ｂに掛合するから、扉Ａなどに振動が加えられたとしてもロック棒２５が平行溝部８から外れるおそれはない。
【００２２】
また、外側ハンドル軸２３の一部には電気絶縁部材たるエンジニアプラスチック材を介して、スリーブ４８と連結してあるから、電磁波の内外への貫通及び極部電流現象による腐蝕も起こらない。
次に扉Ａの勝手が逆の場合には、スペーサ３を反対側の傾斜壁部９ｂに添えて固定して使用する。ロック棒２５も内側ハンドル軸２２に対して、１８０度位相を変えて固定する。
【００２３】
副ロック装置３０は、本ロックハンドル装置の上下両方に設けてあり、それぞれ連結棒３６で連結してあるから、内外各側の施錠用ハンドル２０，２１を操作することによって、ロック棒２５と複数個の副ロック棒３３が同時に作動する。副ロック装置のケース３１、副ロック棒３３及び連結腕３４は、ハンドル装置のハンドル支持ケース２９ａ、ロック棒２５及び連結腕２８と対応して、それぞれ同大としてあり、部品としてそれぞれ互換性を有する。
副ケース、副ロック棒及び連結腕の構造はハンドル装置のものと同大であるから、部品管理が容易である。
【００２４】
【発明の効果】
以上のように構成された本発明のロックハンドル装置においては、仮に室内に閉じ込められるような事があっても、内側ハンドル軸２２の前面に配置されているプッシュボタン４４を押すことによって、内外のハンドル軸２２、２３を結合しているクラッチ２４が解除されるため、内側ハンドル２０を操作して扉Ａを開け、自力で脱出することができる。そのため、冷凍庫や高放射能室などの扉のロックハンドル装置として最適である。
このようにクラッチ操作ロッド４３はプッシュボタン４４を押すことによってクラッチ解除位置に移動するものであり、内部に閉じ込められて少なからず心理的に動揺している者にとって、クラッチ操作ロッド４３を手前に引く操作よりも、扉Ａに向かって押す操作の方が心理的にも身体の動きから言っても、より自然にとれる動作であり、プッシュボタン４４の存在によって脱出操作がより的確かつ迅速に行なえる。
【図面の簡単な説明】
【図１】本発明の実施の形態１に係るロックハンドル装置の内側ハンドルの一部縦断正面図である。
【図２】前記ロックハンドル装置の一部縦断側面図である。
【図３】前記ロックハンドル装置のクラッチ機構部分のみの拡大縦断側面図である。
【図４】図３のＸ−Ｘ線縦断矢視正面図である。
【図５】前記ロックハンドル装置における受け座の正面図である。
【図６】前記受け座の縦断側面図である。
【図７】本発明の実施の形態２に係るロックハンドル装置の概略正面図である。
【符号の説明】
１  受け座
２  受け座本体
３  スペーサ
４  受け溝
５  ロック端
６  挿入離反端
７  内壁面
８  平行溝部
９ａ  傾斜壁部
９ｂ  傾斜壁部
２０  施錠用ハンドル
２１  施錠用ハンドル
２２  ハンドル軸
２３  ハンドル軸
２４  クラッチ機構
２５  ロック棒
２６  先端部
２７  コロ
２８  連結腕
２９ａ  内側ハンドル支持ケース
２９ｃ  窓
３０  副ロック装置
３１  ケース
３２  軸
３３  副ロック棒
３４  連結腕
３６  連結棒
４０  円筒部
４１  内周面
４２  Ｖ溝
４３  クラッチ操作ロッド
４４  プッシュボタン
４５  ロックカム
４６  バネ
４７  鍔
４８  スリーブ
４９  鋼球
５０  支持孔
５１  第２Ｖ溝
【図１】
0003546802.tif 000002
【図２】
0003546802.tif 000003
【図３】
0003546802.tif 000004
【図４】
0003546802.tif 000005
【図５】
0003546802.tif 000006
【図６】
0003546802.tif 000007
【図７】
0003546802.tif 000008